(57)【特許請求の範囲】
【請求項１】
座位から起立するための補助機能を備えた座椅子であって、座板と、前記座板とすべり対偶する柱と、床と前記座板の間に設けられ前記柱を固着安定させるベース部と、
前記座板の背もたれの裏側に格納する前記座板の上昇加勢手段と、前記座板の上昇に伴い、前記柱と自在かぎ状態を保ちつつ、前記座板にスプリングを介して追従させられる肘掛と、前記座板の昇降スピードの調整と下降防止を行う油圧手段と、を備え、
座椅子に座り、前記肘掛に手の力を加え、自在かぎ機能により前記肘掛を停止させ、手の力により体重が軽減すると、前記座板の前記上昇加勢手段により、前記座板が上昇し体を持ち上げ、前記スプリングに力を蓄積させる第一の状態と、前記肘掛にかける手の力を緩め体重が前記座板にかかると、前記座板が前記油圧手段によりその位置で停止し前記肘掛が前記スプリングの力の発散により所定の位置で上昇停止する第二の状態と、前記第一の状態と、前記第二の状態の繰り返しにより座板を上昇させ起立補助を行う機能を特徴とする座椅子。
【発明の詳細な説明】
【技術分野】
【０００１】  膝の関節痛などで座位より起立が困難な人が、動力を使用せず、椅子に設けられた起立補助手段と腕の力で、立ち上がることのできる起立補助座椅子に関する。
【背景技術】
【０００２】  電動により座椅子または椅子より立ち上がる技術がある（例えば、特許文献１参照）【０００３】  また動力を使用せず椅子より立ち上がる技術もある（例えば、特許文献２参照）【０００４】
【特許文献１】  実用新案登録  ３０５７６２８
【特許文献２】  特開平０６−０９８９１０
【発明の開示】
【発明が解決しようとする課題】
【０００５】  上記背景技術には、座位より立ち上がる発明として、動力を使用する場合とスプリングなどを使用し使用者の体重軽減をする場合がある。【０００６】  動力を使用する場合は主にモーターで座板を持ち上げる方法で、使用者がそのスイッチを操作する。しかし誤操作などがおきたり使用者を負傷させたりすることもありうる。【０００７】  つぎに使用者の体重軽減手段を備える場合、重要なことは立ち始めである。座板が床に着いている時は足を床と座板の間に差し込められないので、まず上昇止め装置を外し、座板先端に腰を移動し、足に体重をかけなければいけない。その時が最も危険である。その姿勢で座板が持ち上がると、前につんのめる状態となり、座板が腰から外れて跳ね上がる恐れがあり、スプリングで加勢している場合、途中で停止できない。【０００８】  しかし日本建築は畳の部屋があり、座位の姿勢が習慣になっている事情もあり座位より起立までを、複雑な動力機構をもつ補助装置を使用せず、自力で行える簡単な手段も必要である。【０００９】  そこで課題となるのは自力で立ち上がり難い場合、手の力を起立の補助に使用することと、体重をその手の力で持ち上げられるように軽減するための加勢手段を行うことである。また一動作では立ち上がり難いので、肘の伸縮ストロークを重ね、立ち上がっていけば可能となる。【００１０】  したがって体重の軽減手段を座位から起立までほぼ一定の力で行う事と、座板を任意の位置で停止可能なことと、肘掛に力を加えると、肘掛が停止した状態で座板が上がり、肘掛の力を緩めると、座板が止まり、肘掛が所定の高さに復帰することが課題である。
【課題を解決するための手段】
【００１１】  上記問題は、座板と、前記座板とすべり対偶する柱と、床と前記座板の間に設けられ前記柱を固着安定させるベース部とを組み合わせ、前記座板が上下に円滑に動く様にし、前記座板の背もたれの裏側に格納された前記座板の上昇加勢手段と、前記柱と昇降は自由で荷重がかかる時のみ柱とかみ合って停止する自在かぎ状態を保持し、前記座板にスプリングを介して追従させられる肘掛と、前記座板の昇降スピードの調整と下降防止を行う油圧手段とを備え、座椅子に座り前記肘掛に手の力を加え、自在かぎ機能により前記肘掛を停止させ、手の力により体重が軽減すると、前記座板の前記上昇加勢手段により、前記座板が上昇し、前記スプリングに力を蓄積させる第一の状態と、前記肘掛にかける手の力を緩めると、前記座板が油圧手段によりその位置で停止し同時に前記肘掛が前記スプリングの力の発散により所定の位置に復帰する第二の状態と、前記第一の状態と、前記第二の状態の繰り返しにより座板を上昇させ起立補助を行う機能を特徴とする座椅子によって解決できる。
【発明の効果】
【００１２】  この発明により座位より起立が困難な人が、動力を使用せず自力で起立が可能になる効果を発揮するものである。
【発明を実施するための最良の形態】
【００１３】  以下本考案の実施の形態の一例を図１に基づいて説明する。
座板１と柱２は、スライダー８によりすべり対偶にあり、座板１の背もたれ後部に定加重ばね５が取り付けられ、ばね端部は柱２の上部に係止されているので座板１は一定加重の上昇力を持っている。柱は座板と床の間に設置されているベース３に固着されている。この定加重ばね５の張力は座椅子使用者の体重より少なく設定する。【００１４】  座板は、油圧手段により昇降スピードと停止が調整される。その手段は、油圧シリンダーのシリンダー側７−１が座板側に固着、ロッド側７−２がベース３に固着され、ピストン７−３を隔ててシリンダー前室７−４、シリンダー後室７−５に分かれている。座板が上昇時は、前室７−４の油が後室に移動することにより座板が上昇する。この油は、切り替え弁１１で１２の逆止弁を通すことにより前室の油が後室に移動し座板が上昇可能である。後室の油は逆止されるので座板は下降しない。
座板の下降時は切り替え弁１１を絞り弁１３側に切り替える。下降スピードは絞り弁１３の油の通過量で調整できる。各弁類は操作ボックス１０に取り付けてある。【００１５】  肘掛４は、柱２と自在かぎ９で結合され自在かぎ９と座板の間に弱いスプリング６を介してある。スプリングは肘掛を持ち上げる程度の強さでよい。【００１６】  座椅子使用者は、座板が上昇位置にあれば、座椅子に座り、切り替え弁１１を絞り弁１３側にすると自分の体重で座板が下降し、最適な位置で止め、座板１を停止させる。下降スピードは絞り弁１３で行っておく。【００１７】  また起立時には切り替え弁１１を逆止弁側１２に切り替え、肘掛４に手の力を加えると肘掛の自在かぎ部９が柱２とロックし、手に加えた力分体重が軽くなり座板１が上昇し、スプリング６が縮む第一の状態と、手の力を緩め体重が座板１に掛かると逆止弁１２が働き座板はその位置で停止し、その後スプリング６が圧縮解除され肘掛４が上昇する第二の状態と、この第一の状態と第二の状態の繰り返しにより座板１が上昇し起立の補助を行う。【００１８】  また上昇加勢手段に図２の様にパンタグラフ方式を使用する場合、リンク２０をスプリング２１によって引き寄せ、座板を上昇させ、２２のスプリングにより肘掛を引き上げる構造とすると、上昇加勢力は定加重ではないが全体がコンパクトになる。
【図面の簡単な説明】
【００１９】
【図１】  本発明の実施形態を示す起立加勢手段を持つ座椅子の全体図
【図２】  座板上昇加勢手段が、パンタグラフ方式の部分図
【符号の説明】
【００２０】  １  座板
２  柱
３  ベース
４  肘掛
５  定加重ばね
６  スプリング
７−１〜４  油圧シリンダー
８  スライダー
９  自在かぎ
１０  操作ボックス
１１  切り替え弁
１２  逆止弁
１３  絞り弁
２０  リンク
２１  リンクを引き寄せるスプリング
２２  肘掛を引き上げるスプリング
【図１】
0005505711.tif 000002
【図２】
0005505711.tif 000003